(57)【特許請求の範囲】
【請求項１】
水を溜める浴槽と、浴槽内に空気を送るための送風装置と、浴槽内に設置される着脱式の足載せ台と、浴槽の底部と足載せ台との間の水を加熱する加熱装置とを備えた足浴器において、送風された空気を浴槽底部において気泡として排出する気泡孔を設け、気泡孔から排出される気泡を通す気泡通し孔を足載せ台に設け、該足載せ台に設けた気泡通し孔を上部よりも下部が径の大きい形状とし、足載せ台の下面において気泡通し孔の周囲に凸リブを設けるとともに、足載せ台の周辺部に通水孔を設けて成ることを特徴とする足浴器。
【請求項２】
足載せ台を水平面に対して傾斜させて通水孔を足載せ台の位置の高い側に偏らせて配置して成ることを特徴とする請求項１記載の足浴器。
【請求項３】
足載せ台に、足載せ台を着脱する際に掴むための指孔を設け、通水孔が指孔を兼用していることを特徴とする請求項１又は請求項２記載の足浴器。
【請求項４】
足載せ台の上面の気泡通し孔の周囲に上方に向けて突出する突起を設けて成ることを特徴とする請求項１記載の足浴器。
【請求項５】
足載せ台の位置の高い側に偏らせて配置した通水孔の上面側の周囲に上方に向けて突起部を突設して成ることを特徴とする請求項２に記載の足浴器。
【請求項６】
足載せ台と浴槽底面部とを弾性的に係合自在となった着脱係合手段により係合して成ることを特徴とする請求項１記載の足浴器。
【請求項７】
足載せ台と浴槽底面部との着脱係合手段による係合部に空気抜き孔を設けて成ることを特徴とする請求項１又は請求項６記載の足浴器。
【請求項８】
足載せ台と浴槽底面部との着脱係合手段を構成する浴槽側係合部に排水部を設けて成ることを特徴とする請求項１又は請求項６又は請求項７記載の足浴器。
【発明の詳細な説明】
【０００１】
【発明の属する技術分野】
本発明は、足浴器に関するものである。
【０００２】
【従来の技術】
従来から水を溜める浴槽と、浴槽内に空気を送るための送風装置を有し、浴槽底面に足を載せるための着脱式の足載せ台を備えた足浴器が知られている。この足浴器には送風された空気を浴槽底部において気泡として排出する気泡孔が設けてあり、また、足載せ台に気泡孔から排出される気泡を通す気泡通し孔が設けてあり、気泡孔から排出された気泡を足載せ台の気泡通し孔を通過させて足載せ台に載せた足に気泡が当たり、足を気泡でマッサージするようになっている。
【０００３】
ところが、上記の従来例にあって、気泡孔から排出された気泡を当該気泡孔と対応する気泡通し孔から一対一の関係で通過させるのが困難であり、足載せ台に設けた多数の気泡通し孔のうち一部の気泡通し孔から気泡が出なかったり、あるいは、浴槽底面の多数の気泡孔から出た気泡がそれぞれくっつきあって気泡が大きくなったりして、気泡による効果的なマッサージができないという問題がある。また、浴槽の底部と足載せ台との間の水を加熱する加熱装置を備えたとき、足載せ台と浴槽底部との間の熱い湯が直接足に触れるという問題がある。
【０００４】
【発明が解決しようとする課題】
本発明は上記の点に鑑みてなされたものであり、本発明の目的とするところは、気泡孔から排出された気泡を足載せ台の気泡通し孔を通過させて噴出させることができ、また、足載せ台と浴槽底部との間の熱い湯が直接足に触れるのを防止することができ、また、足載せ台と浴槽底部との間の熱い湯を足載せ台の周囲に設けた通水孔から確実に出すことができ、また、足載せ台の着脱操作を簡単な構成ででき、また、足裏への気泡による刺激感が向上し且つ気泡通し孔から熱い湯が排出されても直接足に当たるのを防止でき、また、通水孔から流れでる熱い湯が足に直接当たるのを防止でき、また、足載せ台を浴槽底部に対して確実に係合できるとともに係合後におけるがたつきを防止でき、また、係合部に空気が溜まり係合の妨げとなるということがなくて簡単に係合ができ、更に、係合部に水が溜まって係合の障害となることがなくて簡単に係合できる足浴器を提供することを課題とするものである。
【０００５】
【課題を解決するための手段】
上記課題を解決するために本発明に係る足溶器は、水を溜める浴槽１と、浴槽１内に空気を送るための送風装置２と、浴槽１内に設置される着脱式の足載せ台３２と、浴槽１の底部と足載せ台３２との間の水を加熱する加熱装置２１とを備えた足浴器において、送風された空気を浴槽１底部において気泡として排出する気泡孔３５を設け、気泡孔３５から排出される気泡を通す気泡通し孔３４を足載せ台３２に設け、該足載せ台３２に設けた気泡通し孔３４を上部よりも下部が径の大きい形状とし、足載せ台３２の下面において気泡通し孔３４の周囲に凸リブ４０を設けるとともに、足載せ台３２の周辺部に通水孔４１を設けて成ることを特徴とするものである。このような構成とすることで、気泡孔３５から排出された気泡が気泡通し孔３４の下部の径が大きくなった部分に誘い込まれて確実に気泡通し孔３４から噴出できるものである。
【０００６】
また、足載せ台３２の下面において気泡通し孔３４の周囲に凸リブ４０を設け、載せ台３２の周辺部に通水孔４１を設けたことで、気泡孔３５から排出された気泡をより確実に気泡通し孔３４に通すことができ、更に、凸リブ４０の存在により浴槽１の底部と足載せ台３２との間で加熱装置２１に加熱された水が気泡通し孔３４から足側に噴出することが防止されるとともに、この加熱装置２１で加熱された水は足載せ台３２の周辺部の通水孔４１から出ることとなるので、熱い水が足に直接噴出することがない。
【０００７】
また、足載せ台３２を水平面に対して傾斜させて通水孔４１を足載せ台３２の位置の高い側に偏らせて配置することが好ましい。このような構成とすることで、浴槽１の底部と足載せ台３２との間の加熱された水が足載せ台３２の周辺部の位置の高い部位にある通水孔４１側に誘導されて確実に通水孔４１から出すことができるものである。
【０００８】
また、足載せ台３２に、足載せ台３２を着脱する際に掴むための指孔４１ａを設け、通水孔４１が指孔４１ａを兼用していることが好ましい。このような構成とすることで、指孔４１ａに指を入れて掴むことで足載せ台３２を容易に着脱できるものである。そして、通水孔４１が指孔４１ａを兼用していることで、別途指を掛ける特別な部分を形成する必要がないものである。
【０００９】
また、足載せ台３２の上面の気泡通し孔３４の周囲に上方に向けて突出する突起３３を設けることが好ましい。このような構成とすることで、足裏への気泡による刺激感が向上し且つ気泡通し孔３４から熱い湯が排出されても直接足に当たるのを防止できるものである。
【００１０】
また、足載せ台３２の位置の高い側に偏らせて配置した通水孔４１の上面側の周囲に上方に向けて突起部３３ａを突設することが好ましい。このような構成とすることで、周辺部に設けた通水孔４１側に足が移動したとしても突起部３３ａに足が当たって、通水孔４１に直接当たることがなく、通水孔４１から流れ出る熱い湯が足に直接当たるのを防止できるものである。
【００１１】
また、足載せ台３２と浴槽１底面部とを弾性的に係合自在となった着脱係合手段により係合することが好ましい。このような構成とすることで、足載せ台３２を浴槽１底面部に載置して係合した際、係合が不十分な場合でも、弾性的に係合しているので、足載せ台３２に足を載せて荷重をかけることで、自然に係合されることになり、また、係合後にはがたつくことがないものである。
【００１２】
また、足載せ台３２と浴槽１底面部との着脱係合手段による係合部４２に空気抜き孔４３を設けることが好ましい。このような構成とすることで、係合部４２に空気が溜まって係合の妨げとなることがないものである。
【００１３】
また、足載せ台３２と浴槽１底面部との着脱係合手段を構成する浴槽側係合部４２ａに排水部４６を設けることが好ましい。このような構成とすることで、浴槽側係合部４２ａの水を排水部４６から排水できて、浴槽側係合部４２ａに水が溜まることによる係合の障害となるようなことがないものである。
【００１４】
【発明の実施の形態】
以下、本発明を添付図面に示す実施形態に基づいて説明する。
【００１５】
足浴器１２は、図１乃至図７に示すように、水を溜めて足を入れる浴槽１と、浴槽１の底部から気泡を発生させるための送風装置２と、浴槽１を振動させて足に刺激を与えるための振動装置１６とを有している。
【００１６】
浴槽１はケース１３内に内装されている。この浴槽１は図１に示すように、平面視略Ｕ字状をしていて、両側がそれぞれ左右の足を入れる足入れ部１７となっており、両足入れ部１７は連通部１８により連通している。浴槽１の底部には排水孔３６が設けてあり、ケース１３の外面下部に排水孔３６からの排水操作をするための排水操作部３７が設けてあって、浴槽１内に手を入れて排水孔３６の栓を抜いて排水操作をするのではなく、浴槽１の外から手を濡らすことなく排水操作ができるようにしてある。
【００１７】
ケース１３内において浴槽１の両側の足入れ部１７間に形成される空所１９には図５に示すように送風装置２、振動装置１６、制御回路２０等が配設してあり、また、浴槽１の外面部には加熱装置２１が設けてある。制御回路２０は上記送風装置２、振動装置１６、加熱装置２１等の制御をするためのものであり、電源コード２８から電力が供給されるようになっている。空所１９の上面部は浴槽１と一体又は別体の上面板２２により覆われており、この上面板２２部分に図１や図５に示すように示す操作釦等の操作部２３が設けてある。操作部２３の下方にはスイッチ２９が設けてあり、操作部２３を押すことでスイッチ２９を押して上記制御回路２０に制御信号を送るものである。ここで、操作部２３の下面部にはストッパ２３ａが設けてあり、操作部２３を強く押しすぎるとスイッチ２９に過度な加重がかかるが、上記ストッパ２３ａを設けることで、操作部２３を強く押した場合にはストッパ２３ａが当たり部３０に当たってスイッチ２９に過度な加重がかからないようにしてある。また、上面板２２には通電表示や操作モード表示のための発光表示部３１が設けてある。
【００１８】
振動装置１６は振動モータ１６ａ、分銅１６ｂ、及びモータ支持台６ｃから構成されており、分銅１６ｂは振動モータ１６ａの出力軸に偏芯して取付けてあり、この偏芯した分銅１６ｂが回転することで、浴槽１が振動するようになっている。
【００１９】
また、加熱装置２１は浴槽１の水を加熱もしくは保温するためのものであり、図６に示す実施形態では加熱装置２１は底面ヒータ２１ａと側面ヒータ２１ｂとで構成してある。
【００２０】
送風装置２は図５に示すようなもので、ファン７と、ファン７を回転させるモータ８と、ファン７を覆うファンケース９とにより構成してある。すなわちファンケース９の上部には複数のリブ２４を介してモータ支持部２５が設けてあり、このモータ支持部２５にモータ８が嵌め込み支持してある。ファンケース９内に配置したファン７はモータ８の出力軸に固着してある。ファンケース９の上部には空気吸い込み孔２６が設けてあり、また、ファンケース９にはファン７から送られる空気を浴槽１に供給するための管３の一端部が接続してあり、この管３の他端部は浴槽１内に導入されて浴槽１の底部上面に配置してあって、浴槽１の底部に配置された管３には気泡孔３５が設けてある。したがって、モータ８を駆動してファン７を回転するとリブ２４間の隙間を通して外部の空気が空気吸い込み孔２６からファンケース９内に吸い込まれ、管３を経て浴槽１の底部に供給され、浴槽１の底部から気泡となって供給されるようになっている。ここで、管３は実施形態では２本設けてあり、浴槽１の両側の足入れ部１７の底部に各１本ずつが接続してあって、それぞれ両側の足入れ部１７の底部に空気を供給するようにしている。図７に示すように、浴槽１の底部上面に配置された管３の端部は図７に示すように、端管部３ａと、端管部３ａを覆う管カバー部３ｂとで構成してあり、端管部３ａの上面部に設けた多数の孔３５ａに管カバー部３ｂに設けた嵌め込み筒部３ｃが嵌め込んで接続してあり、この嵌め込み筒部３ｃ内の孔が気泡孔３５となっている。
【００２１】
図１、図６、図７、図８に示すように、浴槽１の底部には足載せ台３２が設置される。この足載せ台３２の上面部には足裏を載置するための多数の突起３３が突設してあり、足載せ台３２には多数の気泡通し孔３４を設けてあり、この多数の気泡通し孔３４が上記気泡孔３５とそれぞれ上下に対応した位置関係となっていて近接配置して連通させてある。気泡通し孔３４は図７に示すように上部よりも下部の径が大きくなった形状をしており、下方の対応する気泡孔３５から排出される気泡を気泡通し孔３４の下部の径が大きくなった部分で誘い込むようにしている。つまり、多数の気泡孔３５と多数の気泡通し孔３４とがそれぞれ上下に対応する対となったもの同士が一対一の関係で、下方の気泡孔３５から排出された気泡を上方の対応する気泡通し孔３４に一対一の関係で誘い込んで気泡通し孔３４から上方に噴出するようになっている。添付図面に示す実施形態では気泡通し孔３４の下部の上部よりも径の大きくなった誘い込み部は下方に行くほど径が次第に大きくなるラッパ状をしており、これによりいっそう気泡の誘い込みが有効に行えるようになっている。
【００２２】
また、図７、図８に示すように、足載せ台３２の下面において各気泡通し孔３４の周囲に各気泡通し孔３４を囲むように凸リブ４０が設けてある。このように凸リブ４０で気泡通し孔３４の下部の周囲を囲むことで、気泡孔３５から排出された気泡をより確実に上方の対応する気泡通し孔３４に一対一の関係で誘い込むことができるものであり、また、凸リブ４０の存在により浴槽１の底部と足載せ台３２との間の加熱された水が気泡通し孔３４から足側に噴出するのを防止することができる。更にまた、図７、図８に示す実施形態では、更に、管カバー部３ｂの上面部の気泡孔３５の周囲に周突リブ部４４を設け、凸リブ４０を周突リブ部４４に被嵌してあり、これによりいっそう確実に気泡孔３５から排出された気泡を上方の対応する気泡通し孔３４に一対一の関係で誘い込むことができると共に、浴槽１の底部と足載せ台３２との間の加熱された水が気泡通し孔３４から足側に噴出しないようにできるものである。
【００２３】
足載せ台３２の上面には前述のように多数の突起３３が上方に向けて突設してあるが、前述の多数の気泡通し孔３４は突起３３に囲まれるように配置してあり、足を突起３３に載置した場合、足裏で気泡通し孔３４を塞がないようにするとともに、浴槽１底部と足載せ台３２との間の加熱された水が気泡通し孔３４から噴出するのを防止し、熱い湯が足裏に直接触れるのを防止している。
【００２４】
また、足載せ台３２の周辺部に通水孔４１が設けてあり、浴槽１の底部と足載せ台３２との間の加熱された水が足載せ台３２の周辺部（つまり足を載せる部分から離れた端部分）の通水孔４１から出ることになり、熱い水が足載せ台３２の突起３３に載せた足に直接噴出することがないようにしてある。
【００２５】
足載せ台３２に、足載せ台３２を着脱する際に掴むための指孔４１ａが設けてあり、この指孔４１ａは足載せ台３２の周辺部（つまり足を直接載せる部分の外側）に設けてあって、通水孔４１が指孔４１ａを兼用している。そして、指孔４１ａに指を入れて掴むことで足載せ台３２を容易に着脱できるものである。そして、通水孔４１が指孔４１ａを兼用していることで、別途指を掛ける特別な部分を形成する必要がないものである。
【００２６】
足載せ台３２は図６に示すように水平面Ｃに対して角度α傾斜しており、通水孔４１を足載せ台３２の位置の高い側の周辺部に偏らせて設けることも好ましい。添付図面に示す実施形態では足載せ台３２は足のつま先が載置される部分側が高くなるように傾斜しており、したがって、通水孔４１は足載せ台３２における足のつま先が載置される部分よりも更に前方側に偏った位置に設けてある。このように、通水孔４１を足載せ台３２の位置の高い側の周辺部に偏らせて設けることで、浴槽１の底部と足載せ台３２との間の加熱された水が足載せ台３２の周辺部の位置の高い部位にある通水孔４１側に誘導されて確実に通水孔４１から出すことができ、加熱された水が気泡通し孔３４から出ないようにしている。
【００２７】
ここで、足載せ台３２の位置の高い側に偏らせて配置した通水孔４１の上面側の周囲に図６に示すように上方に向けて突起部３３ａを突設してもよいものである。これにより、周辺部に設けた通水孔４１側に足が移動したとしても突起部３３ａに足が当たって、通水孔４１に直接当たることがなく、通水孔４１から流れ出る熱い湯が足に直接当たるのを防止することができるものである。
【００２８】
足載せ台３２は浴槽１底面部に対して弾性的に係合自在となった着脱係合手段により係合してある。足載せ台３２の着脱に当たっては指孔４１ａに指を入れて掴むことで着脱操作を行うものである。弾性的に係合自在となった着脱係合手段は係合部自体を弾性体で形成することで構成するか、あるいは係合部に別体の弾性体を取付けて構成してある。図７，図９には着脱係合手段を構成する係合部４２の例が示してある。係合部４２は、浴槽１の底面部の上面部に設けられる浴槽側係合部４２ａと、足載せ台３２の下面側に設けられる足載せ台側係合部４２ｂとで構成してある。図７、図９では足載せ台側係合部４２ｂに弾性体４５を取付け、足載せ台側係合部４２ｂを浴槽側係合部４２ａに嵌め込んで係合することで浴槽１底部に載置した足載せ台３２を浴槽１に取付けるようになっている。ここで、足載せ台３２を浴槽１底面部に載置して係合した際、係合が不十分な場合でも、弾性体４５を介して弾性的に係合しているので、足載せ台３２に足を載せて荷重をかけることで、自然に係合されることになり、また、係合後にはがたつくことがないものである。
【００２９】
ところで、浴槽側係合部４２ａと足載せ台側係合部４２ｂとはいずれか一方が突状でいずれか他方が凹状をしていて嵌め込んで係合するものであり、このため、浴槽側係合部４２ａと足載せ台側係合部４２ｂとの嵌め込み部分の内に空気が残っていて排出できないと、確実な係合ができないので、これを防止するために係合部４２に空気抜き孔４３を設けるものである。これにより係合部４２に空気が溜まって係合の妨げとなることを防止できる。
【００３０】
添付図面においては浴槽側係合部４２ａが凹状となるように筒状に形成してあり、筒状の底が浴槽側係合部４２ａの底面部と面一又は底面部よりも上位置となっており、また、筒状の浴槽側係合部４２ａの側部を筒状の底まで切り欠いて排水部４６が形成してある。したがって、凹状となった浴槽側係合部４２ａ内の水は排水部４６から排水できて浴槽側係合部４２ａと足載せ台側係合部４２ｂとの嵌め込みによる係合の際に浴槽側係合部４２ａ内に水が溜まって係合の妨げとなることを防止している。この場合、排水部４６からも空気が抜けるが、図９のように突となった足載せ台側係合部４２ｂに空気抜き孔４３を設けることで、空気も確実に抜くことができるものである。
【００３１】
しかして、上記のような構成の本発明の足浴器１２は、浴槽１に水を入れ、加熱装置２１により加熱して温水とした状態又は、加熱することなく冷水とした状態で、浴槽１内に足を入れて図１０に示すように足浴を行うものである（この際、浴槽１の両側の足入れ部１７にそれぞれ左右の足を入れて足浴を行うものである）。足浴を行う場合、送風装置２で送風した空気を管３を通して浴槽１の底部に供給することで、浴槽１の底部から気泡を発生させ、気泡により足のマッサージを行うものである。この場合、温水を気泡により循環させて足に当てることで心地良いマッサージができるものである。また、振動装置１６を駆動することで、浴槽１を振動させて足浴中に足の振動マッサージを行うようになっている。
【００３２】
そして、本発明によれば、気泡孔３５から排出される気泡を通す気泡通し孔３４を足載せ台３２に設け、該足載せ台３２に設けた気泡通し孔３４を上部よりも下部が径の大きい形状としてあるので、気泡孔３５から排出された気泡が気泡通し孔３４の下部の径が大きくなった部分に誘い込まれて確実に気泡通し孔３４から噴出して突起３３に載置した足裏を効果的に気泡により刺激してマッサージができるものである。
【００３３】
【発明の効果】
上記のように本発明の請求項１記載の発明にあっては、水を溜める浴槽と、浴槽内に空気を送るための送風装置と、浴槽内に設置される着脱式の足載せ台と、浴槽の底部と足載せ台との間の水を加熱する加熱装置とを備えた足浴器において、送風された空気を浴槽底部において気泡として排出する気泡孔を設け、気泡孔から排出される気泡を通す気泡通し孔を足載せ台に設け、該足載せ台に設けた気泡通し孔を上部よりも下部が径の大きい形状とし、足載せ台の下面において気泡通し孔の周囲に凸リブを設けるとともに、足載せ台の周辺部に通水孔を設けてあるので、気泡孔から排出された気泡が気泡通し孔の下部の径が大きくなった部分に誘い込まれて確実に気泡通し孔から噴出できる。この結果、一部の気泡通し孔から気泡が出なかったり、あるいは、浴槽底面の多数の気泡孔から出た気泡がそれぞれくっつきあって気泡が大きくなったりするというようなことがなくて、足浴おいて気泡による効果的な足のマッサージができる。加えて、気泡孔から排出された気泡を凸リブにより集めてより確実に気泡通し孔に通すことができるものであり、また、凸リブの存在により、浴槽の底部と足載せ台との間で加熱装置に加熱された水が気泡通し孔から足側に噴出することが防止されるとともに、この加熱装置で加熱された水は足載せ台の周辺部の通水孔から出ることとなるので、熱い水が足に直接噴出することがない。この結果、足浴においてより快適に足のマッサージができるものである。
【００３４】
また、請求項２記載の発明にあっては、上記請求項１記載の発明の効果に加えて、足載せ台を水平面に対して傾斜させて通水孔を足載せ台の位置の高い側に偏らせて配置してあるので、浴槽の底部と足載せ台との間の加熱された水が足載せ台の周辺部の位置の高い部位にある通水孔側に誘導されて、確実に足載せ台周辺の位置の高い部位にある通水孔から出すことができるものであり、熱い水が足に直接噴出することがなく、快適に足浴ができるものである。
【００３５】
また、請求項３記載の発明にあっては、上記請求項１又は請求項２記載の発明の効果に加えて、足載せ台に、足載せ台を着脱する際に掴むための指孔を設け、通水孔が指孔を兼用しているので、指孔に指を入れて掴むことで足載せ台を容易に着脱でき、しかも、通水孔が指孔を兼用しているので、別途指を掛ける特別な部分を形成する必要がなくて足載せ台の構成を簡略化できるものである。
【００３６】
また、請求項４記載の発明にあっては、上記請求項１記載の発明の効果に加えて、足載せ台の上面の気泡通し孔の周囲に上方に向けて突出する突起を設けてあるので、足裏への気泡による刺激感が向上し且つ気泡通し孔から熱い湯が排出されても直接足に当たるのを防止できて、足浴においてより快適に足のマッサージができるものである。
【００３７】
また、請求項５記載の発明にあっては、上記請求項２に記載の発明の効果に加えて、足載せ台の位置の高い側に偏らせて配置した通水孔の上面側の周囲に上方に向けて突起部を突設してあるので、周辺部に設けた通水孔側に足が移動したとしても突起部に足が当たって、通水孔に直接当たることがなく、通水孔から流れ出る熱い湯が足に直接当たるのを確実に防止できて、快適な足浴ができるものである。
【００３８】
また、請求項６記載の発明にあっては、上記請求項１記載の発明の効果に加えて、足載せ台と浴槽底面部とを弾性的に係合自在となった着脱係合手段により係合してあるので、足載せ台を浴槽底面部に載置して係合した際、係合が不十分な場合でも、足載せ台に足を載せて荷重をかけることで、弾性体部分を食い込ませて自然に係合されることになって、係合が簡単に行えるものであり、また、係合後にはがたつくことがなくて確実に係合されるものである。
【００３９】
また、請求項７記載の発明にあっては、上記請求項１又は請求項６記載の発明の効果に加えて、足載せ台と浴槽底面部との着脱係合手段による係合部に空気抜き孔を設けてあるので、係合部に空気が溜まって係合の妨げとなることがないものであって、係合が簡単且つ確実に行えるものである。
【００４０】
また、請求項８記載の発明にあっては、上記請求項１又は請求項６又は請求項７記載の発明の効果に加えて、足載せ台と浴槽底面部との着脱係合手段を構成する浴槽側係合部に排水部を設けてあるので、浴槽側係合部の水を排水部から排水できて、浴槽側係合部に水が溜まることによる係合の障害となるようなことがないものであって、係合が簡単且つ確実に行えるものである。
【図面の簡単な説明】
【図１】  本発明の足浴器の平面図である。
【図２】  同上の側面図である。
【図３】  同上の背面図である。
【図４】  同上の底面図である。
【図５】  同上の図１のＡ−Ａ線断面図である。
【図６】  同上の図１のＢ−Ｂ線断面図である。
【図７】  同上の拡大断面図である。
【図８】  同上の気泡孔と気泡通し孔との位置関係を示す概略説明図である。
【図９】  同上の係合部を示す係合を解除した状態の斜視図である。
【図１０】  同上の使用状態を示す斜視図である。
【符号の説明】
１  浴槽
２  送風装置
３  管
１２  足浴器
３２  足載せ台
３３  突起
３３ａ  突起部
３４  気泡通し孔
３５  気泡孔
４０  凸リブ
４１  通水孔
４１ａ  指孔
４２  係合部
４２ａ  浴槽側係合部
【図１】
0004075217.tif 000002
【図２】
0004075217.tif 000003
【図３】
0004075217.tif 000004
【図４】
0004075217.tif 000005
【図５】
0004075217.tif 000006
【図６】
0004075217.tif 000007
【図７】
0004075217.tif 000008
【図８】
0004075217.tif 000009
【図９】
0004075217.tif 000010
【図１０】
0004075217.tif 000011